(57)【要約】【課題】エレベーター利用者が被る最も多い被害が途中階で乗り込んでくる不審者によるのである。なぜなら、現行のエレベーター設置環境に問題がある。即ち、各階乗り場周辺の多くは薄暗く、又、階段近くに設置されているため呼びボタンを押し登録したのち階段に身を隠し待ち伏せするのが常套手段である。【解決手段】各階乗り場周辺に設置された人感センサーに連動された照明器具、カメラ、乗り場モニターと録画装置、昇降かご内モニター、及び、エレベーター運行プログラムの技術設定を組み合わせたことによるものであり、現行エレベーター、或いは、新設エレベターにも対応でき、それぞれの現状や予算等に合ったオプション形式でエレベーターセキュリティ装置を選択し設置することができる。【選択図】          図２
2004323173.tif 000002
【特許請求の範囲】
【請求項１】
エレベーターの各階乗り場周辺に設置された人感センサーに連動された少なくともカメラ、及び、モニターで構成されたことを特徴とするエレベーターセキュリティ装置。
【請求項２】
エレベーターの各階乗り場周辺に設置された人感センサーに連動されたカメラで撮影された動画像、静止画像をハードデスクや画像メモリーカード、及び、ビデオテープ等の画像記憶手段にて録画できうるように構成したことを特徴とする請求項１に記載のエレベーターセキュリティ装置。
【請求項３】
エレベーターの各階乗り場周辺に設置された人感センサーにリレー（継電器）を介して連動された呼びボタンの使用可、不可を自動選択できうるように構成されたことを特徴とする請求項１、請求項２に記載のエレベーターセキュリティ装置。
【請求項４】
エレベーターの各階乗り場周辺に設置された人感センサーにリレー（継電器）を介して連動された呼びボタンによる登録を、前記人感センサーの連動にて直前解除された時のみ、エレベーターの扉が強制的に開扉できないように構成されたことを特徴とする請求項１、請求項２、請求項３、請求項４に記載のエレベーターセキュリティ装置。
【請求項５】
エレベーターの各階乗り場周辺に設置された人感センサーに連動されたカメラで撮影された動画、静止画像を、昇降かご内の複数のモニター、又は、分割画面モニターに映し出すことができうるように構成したことを特徴とする請求項１、請求項２に記載のエレベーターセキュリティ装置。
【発明の詳細な説明】
【０００１】
【発明が属する技術分野】
本発明は、エレベーターの各階乗り場周辺に設置された人感センサーに連動された照明器具、カメラ、録画装置、モニター、及び、昇降かご内モニターとの組合せと、そして、エレベーターの機構との技術的連携によって不審者に対する抑止効果、ならびに不審者の動向を事前に察知し、要注意するとともに回避することができうる新規なエレベーターセキュリティ装置の技術分野に属するものである。
【０００２】
【従来の技術】
現在は各階から乗り込んでくる不審者に対するセキュリティ装置は無く、昇降かご内に設置された人感センサーに連動されたカメラ、録画装置等があるのみで設置を義務づけられてはいない。
【０００３】
しかし、上記の装置を設置しても、エレベーター利用者側からは無差別な撮影がプライバシーの侵害であるとの不評の上、録画データーも事件発生後の事件解決に寄与する証拠品となるだけで、オーナー側においてもセキュリティとしての価値が無いに等しい装置に高額出資はできないのも現実である。
【０００４】
【発明が解決しようとする課題】
本発明は、上記の問題を解決するものであって、エレベーター利用者が被る最も多い被害が途中階で乗り込んでくる不審者によってである。なぜなら、現行のエレベーター設置環境に問題がある。即ち、各階乗り場周辺の多くは薄暗く、又、階段近くに設置されているため呼びボタンを押し登録したのち階段に身を隠し待ち伏せするのが常套手段で、これらを鑑み、現行エレベーターにも付設できうるエレベーターセキュリティ装置を提供することを目的としている。
【０００５】
【課題を解決するための手段】
上記の目的を達成するための本発明のエレベーターセキュリティ装置は、各階乗り場周辺に設置された人感センサーに連動された照明器具、カメラ、及び、乗り場モニターと録画装置、昇降かご内モニター、エレベーター運行プログラムの技術設定を組み合わせたことによるものである。
【０００６】
上記のように構成された本発明のエレベーターセキュリティ装置は、現行エレベーター、或いは、新設エレベターにも対応でき、それぞれの現状や予算等に合ったオプション形式でエレベーターセキュリティ装置を選択し設置することができる。
【０００７】
【発明の実施の形態】
各階乗り場周辺に設置された人感センサーに連動された照明器具、カメラ、及び、乗り場モニターと録画装置、昇降かご内モニター、エレベーター運行プログラムの技術設定を組み合わせたことによるエレベーターセキュリティ装置である。
【０００８】
【実施例】
図１、図２は、本発明の第１実施例の図であって、エレベーター各階乗り場周辺Ａ、Ｂ、Ｃ、及び、乗り場扉Ｄの設置可能場所に設置された人感センサー１に連動された照明器具２、カメラ３、及び、乗り場モニター４Ａと録画装置５の機器から構成されたもので、人感センサー１（熱感センサー、動体感知センサー、赤外線センサー等）は、エレベーターに乗り込もうとする人間がカメラ３の撮影範囲内の位置にいるところを感知範囲Ｗになるように設定する。図示する本実施例は、呼びボタン６の上部に人感センサー１に連動された照明器具２、カメラ３、及び、乗り場モニター４Ａと録画装置５を１つのケース内に収容してあるが、各機器を適当位置に設置できるセパレート式にすることもできる。
【０００９】
上記第１実施例の基本的動作内容は、図３−１の第１方式に示すように、エレベーターに乗り込もうとする人間が呼びボタン６を押せる位置に存在したとき人感センサー１が存在を感知し、照明装置がＯＮとなり周囲を明るく照らす、と同時にカメラ撮影が開始され、その状況を乗り場モニター４Ａに映し出される。更に、この状況の画像を録画装置５にて録画することもできる。
【００１０】
上記第１実施例において、各階乗り場周辺に設置された人感センサー１の感知範囲Ｗ外の人間が、人感センサー１にリレー（継電器）を介して連動された呼びボタン６を押してもその階に昇降かごを呼ぶ登録ができないようにエレベーター運行プログラムにて設定できる。
【００１１】
本発明の第２実施例は、図３−２の第２方式に示すように、各階乗り場周辺に設置された人感センサーにリレー（継電器）を介して連動された呼びボタン６によって登録を完了されたが、昇降かご７が登録したフロア（階）に到着寸前人感センサー１が人間を確認できず前記登録を解除したものの間に合わなく、昇降かご７がそのフロア（階）に停止したが、この場合も、エレベーターの扉が強制的に開扉できないようにエレベーター運行プログラムにて設定できる。なお、このエレベーターセキュリティ装置に使用する人感センサー１は更新を繰り返せる時間を任意に設定できるタイマー付がよい。
【００１２】
上記第２実施例において、図４−１に示すように、エレベーターの各階乗り場周辺に設置された人感センサー１に連動されたカメラ３で撮影された動画、静止画像を、有線、無線にて昇降かご７内の複数のモニター４Ｂ、又は、図４−２に示すような分割画面モニターに映し出すことができうる。なお、カメラで撮影された画像を無線送信し、他の場所でモニターできる技術はすでに確立されている。但し、電波法によって電波を飛ばせる出力が制限されているが増幅器を取り付けることで可能である。現在の電波法の規制範囲内では３フロア（階）ごとに増幅器１基が必要である。
【００１３】
【発明の効果】
以上のように構成されたエレベーターセキュリティ装置は、次のような効果を奏する。
【００１４】
請求項１は、エレベーターの各階乗り場から乗り込んでくる不審者に対しての抑止効果を狙ったもので、乗り場前を明るくすることとカメラで撮影されている様子を不審者自身が確認できることにある。又、乗り場前を明るくすることで暗闇を撮影できる高度、高価なカメラを必要としない。
【００１５】
請求項２は、不審者に対してカメラで撮影された画像を録画されていることは重大で、このことで抑止効果も倍増する。
【００１６】
請求項３、請求項４は、エレベーターの各階乗り場周辺に設置された人感センサーにて存在を確認できない者に対して呼びボタンの使用ができない。又、呼びボタンによる登録をされたが、直前人感センサーが乗り込む予定の者を感知できなくなったとき、極直前の登録解除に対して間に合わなく登録通りの階に昇降かごが停止をしたものの、エレベーターの扉が強制的に開扉できないようにすることで隠れ潜んでの待ち伏せは不可能となる。
【００１７】
請求項５は、乗員が昇降かご内のモニターで各階乗り場周辺の状況が確認できることで、途中階で乗り込んでくる者に対し、自身の判断において手前の階にて降りることで恐怖心、又は、被害に被る懸念からの想いを事前回避することができる。
【図面の簡単な説明】
【図１】本発明を適用したエレベーターセキュリティ装置の第１実施例を説明する斜視図である。
【図２】本発明を適用したエレベーターセキュリティ装置の第１実施例を説明する斜視図である。
【図３】本発明を適用したエレベーターセキュリティ装置の第１、２実施例のシステムを説明する図である。
【図４】本発明を適用したエレベーターセキュリティ装置の第２実施例を説明する昇降かご内切り欠き斜視図、及び、分割画面モニター図である。
【符号の説明】
１    人感センサー
２    照明器具
３    カメラ
４Ａ  乗り場モニター
４Ｂ  昇降かご内モニター
５    録画装置
６    呼びボタン
７    昇降かご
Ｈ    人間
Ｗ    センサー感知範囲
【図１】
2004323173.tif 000003
【図２】
2004323173.tif 000004
【図３】
2004323173.tif 000005
【図４】
2004323173.tif 000006